(57)【特許請求の範囲】
【請求項１】
被写体画像を記録または再生する情報処理装置において、
前記被写体からの光を入射する入射手段と、
前記入射手段により得られた光を画像信号に変換する変換手段と、
前記画像信号に固有の情報を前記画像信号とともに記録する第１の記録手段と、
所定面積の表示面を有する表示装置と、
前記被写体の複数の属性情報を入力する入力手段と、
前記複数の属性情報に優先順位を付与し、前記画像信号に関連付けて記録する第２の記録手段と、
前記画像信号および前記属性情報を前記表示装置に表示する表示制御手段と
を備え、
前記表示制御手段は、前記表示装置の表示面内に前記画像信号を表示する表示枠を設定し、前記第１の記録手段により記録された前記画像信号を拡大もしくは縮小して前記表示枠内に表示し、前記表示枠外に表示可能な属性情報の個数を決定し、前記第２の記録手段により前記画像信号に関連付けされて記録された属性情報のうち、優先順位に従って表示個数以下の属性情報を選択し前記表示枠外に表示する
ことを特徴とする情報処理装置。
【請求項２】
前記画像信号はＪＰＥＧ圧縮されて記録される
ことを特徴とする請求項１に記載の情報処理装置。
【請求項３】
前記画像信号と前記属性情報とは異なる圧縮方式により圧縮されて記録される
ことを特徴とする請求項１に記載の情報処理装置。
【請求項４】
さらに前記表示枠の変更指示手段を備え、前記表示制御手段は変更された表示枠に応じて前記画像信号を拡大もしくは縮小して表示し、前記表示枠外に表示可能な属性情報の個数を変更して、優先順位に従って表示個数以下の属性情報を選択し、前記表示枠外に表示する
ことを特徴とする請求項１に記載の情報処理装置。
【発明の詳細な説明】
【０００１】
【発明の属する技術分野】
本発明は、情報処理装置に関し、特に、被写体の画像または音声、あるいは線画などの情報を記録または再生する情報処理装置に関する。
【０００２】
【従来の技術】
従来の電子カメラ等において、個人情報をその個人の画像と共に記録し、管理する場合、画像と個人情報の表示形式（サイズ）は予め決定されていた。
【０００３】
【発明が解決しようとする課題】
このような従来の電子カメラでは、１画面内に多くの個人情報を表示させるように設計すると、画像のサイズが小さくなり、人物の特徴が把握しにくくなるという課題があった。
【０００４】
また、逆に、画像を大きく表示するように設計すると、個人情報の表示領域が狭くなり、その結果、表示可能な個人情報が限定されるという課題があった。
【０００５】
そこで、個人情報を複数の画面に分けて表示するようにすると、画面の表示切り換え操作が必要となり、操作が煩雑となるという課題があった。
【０００６】
本発明は、このような状況に鑑みてなされたものであり、個人情報をその個人の画像と共に記録し、再生する場合に、ユーザにとって最適な形式で表示することを可能とするものである。
【０００７】
【課題を解決するための手段】
請求項１に記載の情報処理装置は、被写体からの光を入射する入射手段と、入射手段により得られた光を画像信号に変換する変換手段と、画像信号に固有の情報を画像信号とともに記録する第１の記録手段と、所定面積の表示面を有する表示装置と、被写体の複数の属性情報を入力する入力手段と、複数の属性情報に優先順位を付与し、画像信号に関連付けて記録する第２の記録手段と、画像信号および属性情報を表示装置に表示する表示制御手段とを備え、表示制御手段は、表示装置の表示面内に画像信号を表示する表示枠を設定し、第１の記録手段により記録された画像信号を拡大もしくは縮小して表示枠内に表示し、表示枠外に表示可能な属性情報の個数を決定し、第２の記録手段により画像信号に関連付けされて記録された属性情報のうち、優先順位に従って表示個数以下の属性情報を選択し表示枠外に表示することを特徴とする。
【０００８】
【発明の実施の形態】
以下、本発明の実施例を図面を参照して説明する。
【０００９】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３（入射手段）、及び、被写体を照明する場合に発光される発光部（フラッシュランプ）４が設けられている。
【００１０】
一方、面Ｘ１に対向する面Ｘ２の上端部（面Ｘ１の、ファインダ２、撮影レンズ３、発光部４が形成されている部分に対向する部分）には、上記ファインダ２、及びこの電子カメラ１に記録されている音声を出力するスピーカ５が設けられている。また、面Ｘ２に形成されているＬＣＤ６（第１の表示手段、第２の表示手段、拡大縮小表示手段）および操作キー７（メニューキー７Ａ、実行キー７Ｂ、クリアキー７Ｃ、キャンセルキー７Ｄ、およびスクロールキー７Ｅ）は、ファインダ２、撮影レンズ３、発光部４、及びスピーカ５よりも、鉛直下側に形成されている。ＬＣＤ６の表面上には、後述するペン型指示装置の接触操作により、指示された位置に対応する位置データを出力する、いわゆるタッチタブレット６Ａ（入力手段）が形成されている。
【００１１】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１２】
操作キー７は、ＬＣＤ６に記録データを再生表示する場合などに操作されるキーであり、以下に示すキーによって構成されている。すなわち、メニューキー７Ａは、ＬＣＤ６上にメニュー画面を表示する場合に操作されるキーである。実行キー７Ｂは、ユーザによって選択された記録情報を再生する場合に操作されるキーである。
【００１３】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００１４】
電子カメラ１の上面である面Ｚには、音声を集音するマイクロホン８、及び図示せぬイヤホンが接続されるイヤホンジャック９が設けられている。
【００１５】
左側面（面Ｙ１）には、被写体を撮像するときに操作されるレリーズスイッチ１０、電源スイッチ１１、および、ＡＣアダプタを接続するためのＡＣアダプタジャック１５が設けられている。
【００１６】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。なお、録音スイッチ１２は、面Ｙ１のレリーズスイッチ１０とほぼ同じ高さに形成されており、左右どちらの手で持っても、違和感のないように構成されている。
【００１７】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００１８】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００１９】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２０】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２１】
次に、電子カメラ１の内部の構成について説明する。図３は、図１及び図２に示す電子カメラの内部の構成例を示す斜視図である。ＣＣＤ２０（変換手段）は、撮影レンズ３の後段（面Ｘ２側）に設けられており、撮影レンズ３を介して結像する被写体の光画像を電気信号に光電変換するようになされている。
【００２２】
ＬＣＤ６の鉛直下側には、円柱形状の４本のバッテリ（単３型乾電池）２１が縦に並べられており、このバッテリ２１が発生する電力が装置の各部に供給される。また、発光部４を発光させるための電荷を蓄積しているコンデンサ２２は、バッテリ２１と並べて配置されている。
【００２３】
回路基板２３には、この電子カメラ１の各部を制御する種々の制御回路が形成されている。また、回路基板２３と、ＬＣＤ６及びバッテリ２１の間には、挿抜可能なメモリカード２４が設けられており、この電子カメラ１に入力される各種の情報が、メモリカード２４の予め設定されている領域に記録される。
【００２４】
なお、本実施例においては、メモリカード２４は挿抜可能とされているが、回路基板２３上にメモリを設け、そのメモリに各種情報を記録するようにしてもよい。また、メモリ（メモリカード２４）に記録されている各種情報を、図示せぬインタフェースを介して外部のパーソナルコンピュータに出力することができるようにしてもよい。
【００２５】
次に、本実施例の電子カメラ１の内部の電気的構成を、図４のブロック図を参照して説明する。レンズ駆動回路３０は、ＣＰＵ３６（第１の表示手段、第２の表示手段、拡大縮小表示手段）に制御され、撮影レンズ３を同じく光軸方向に移動させ、オートフォーカスを実行する。複数の画素を備えているＣＣＤ２０は、各画素に結像した光画像を画像信号（電気信号）に光電変換するようになされている。また、ＣＣＤ駆動回路３９は、ディジタルシグナルプロセッサ（以下、ＤＳＰという）３３に制御され、ＣＣＤ２０を駆動するようになされている。
【００２６】
画像処理部３１は、ＣＣＤ２０が光電変換した画像信号を所定のタイミングで相関二重サンプリングすると共に、オートゲインコントロールにより、サンプリングされた画像信号の信号値が最適となるよう制御する。アナログ／ディジタル変換回路（以下、Ａ／Ｄ変換回路という）３２は、画像処理部３１でサンプリングした画像信号をディジタル化してＤＳＰ３３に供給するようになされている。
【００２７】
ＤＳＰ３３は、ディジタル化された画像信号に後述する所定の処理を施し、圧縮伸長回路およびメモリコントローラ（以下、圧縮伸長回路と略記する）３４に供給する。圧縮伸長回路３４は、ＤＳＰ３３から供給された画像信号（以下、単に撮影画像データという）を圧縮し、ＣＰＵ３６の制御に応じて、メモリカード２４の所定の領域（撮影画像記録領域）に格納するようになされている。
【００２８】
タイマ４５は、撮影した日時の情報を画像データのヘッダ情報として、メモリカード２４の撮影画像記録領域に記録するようになされている（すなわち、メモリカード２４の撮影画像記録領域に記録される撮影画像データには、撮影日時のデータが付随している）。
【００２９】
マイクロホン８は、音声を入力し（音声を集音し）、対応する電気信号に変換して音声ＩＣ（Integrated Ciruit）３８に供給する。音声ＩＣ３８は、入力された音声信号をＡ／Ｄ変換するとともに、ＡＤＰＣＭ（Adaptive Differential Pulse Code Modulation）による圧縮処理を施し、ＣＰＵ制御バスを介してＣＰＵ３６に供給する。
【００３０】
ＣＰＵ３６は、ディジタル化されて圧縮された音声データをＣＰＵ制御バスを介してメモリカード２４の所定の領域（音声記録領域）に記録するようになされている。また、このとき、メモリカード２４の音声記録領域には、録音日時のデータが音声データのヘッダ情報として記録されるようになされている。
【００３１】
ユーザの操作するペン型指示装置（以下、ペンと略記する）４６によってタッチタブレット６Ａの所定の位置が押圧されると、ＣＰＵ３６は、タッチタブレット６Ａの押圧された位置のＸ−Ｙ座標を読み取り、その座標データ（後述する線画情報）をバッファメモリ３５に格納するようになされている。また、ＣＰＵ３６は、バッファメモリ３５に格納された線画情報を、線画情報入力日時のヘッダ情報とともに、メモリカード２４の線画情報記録領域に記録するようになされている。
【００３２】
フレームメモリ４７は、ＣＰＵ制御バスを介して送られてきた画像データを記憶し、ＬＣＤ６に表示するようになされている。但し、圧縮処理が施された撮影画像データは、一旦、圧縮伸長回路３４に入力され、そこで、伸長されてからフレームメモリ４７に供給されるようになされている。
【００３３】
更に、メモリカード２４から出力された音声データは、音声ＩＣ３８によりディジタル／アナログ変換（以下、Ｄ／Ａ変換という）が施され、アナログ信号に変換された後、スピーカ５に供給され、音声として出力されるようになされている。
【００３４】
フラッシュランプ駆動回路４１は、ＣＰＵ３６によって制御され、発光部４に内蔵されているフラッシュランプ４２を駆動するようになされている。また、赤目軽減ランプ駆動回路４３は、同様に、ＣＰＵ３６によって制御され、発光部４に内蔵されている赤目軽減ランプ４４を駆動するようになされている。なお、この赤目軽減ランプ４４は、フラッシュランプ４２が点灯される直前に発光されるようになされており、これにより被写体となる人物の瞳孔が閉じられるので、撮影された画像中の人物の目が赤くなる、いわゆる赤目を軽減することができる。
【００３５】
検出回路４０は、バッテリ２１の電圧を対応するディジタル信号に変換し、ＣＰＵ３６に供給する。ＣＰＵ３６は、検出回路４０から供給されるディジタル信号により、バッテリ２１の残量を検知することができる。
【００３６】
次に、本実施例の電子カメラ１の各種動作について説明する。
【００３７】
まず、本装置の音声情報の入出力処理（但し、音声情報のみの入出力処理）について説明する。
【００３８】
電源スイッチ１１が操作されることにより電子カメラ１に電源が投入された後、面Ｙ２に設けられている録音スイッチ１２が押されると、音声の録音処理（音声情報の入力処理）が開始される。音声情報はマイクロホン８を介して入力され、音声ＩＣ３８によりＡ／Ｄ変換と圧縮処理が施された後、ＣＰＵ３６に供給される。
【００３９】
ＣＰＵ３６に供給された音声データは、メモリカード２４に供給され、音声記録領域に記録される。このとき、メモリカード２４の音声記録領域には、録音日時のデータが、ヘッダ情報として記録される。このような動作が、録音スイッチ１２を押圧している期間中、連続して行われる。
【００４０】
なお、この場合における音声は、ＡＤＰＣＭ方式で圧縮されるようにしたが、他の圧縮方式を用いるようにしてもよい。
【００４１】
次に、本実施例による被写体の撮影時の動作について説明する。
【００４２】
第１に、面Ｙ２に設けられている連写モード切り換えスイッチ１３が、Ｓモード（１コマだけ撮影を行うモード）に切り換えられている場合について説明する。最初に、面Ｙ１に設けられている電源スイッチ１１をユーザが操作することにより、電子カメラ１に電源を投入する。ファインダ２で被写体を確認し、面Ｙ１に設けられているレリーズスイッチ１０を押すと、被写体の撮影処理が開始される。
【００４３】
ファインダ２で観察される被写体の光画像が撮影レンズ３によって集光され、複数の画素を備えるＣＣＤ２０上に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでディジタル化されてＤＳＰ３３に出力される。
【００４４】
ＤＳＰ３３は、ＲＧＢ（Red Green Blue）信号から色差信号を生成する処理を行うとともに、非線形処理であるγ処理を施す。圧縮伸長回路３４は、ＤＳＰ３３から供給された画像データを、離散的コサイン変換、量子化及びハフマン符号化を組み合わせたＪＰＥＧ（Joint Photografic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００４５】
なお、連写モード切り換えスイッチ１３がＳモードに切り換えられている場合においては、１コマの撮影だけが行われ、レリーズスイッチ１０が継続して押され続けても、それ以降の撮影は行われず、ＬＣＤ６上に撮影された画像が表示される。
【００４６】
第２に、連写モード切り換えスイッチ１３がＬモード（１秒間に８コマの連写を行うモード）に切り換えられている場合について説明する。電源スイッチ１１を操作することにより、電子カメラ１に電源を投入し、面Ｙ１に設けられているレリーズスイッチ１０を押すと、被写体の撮影処理が開始される。
【００４７】
ファインダ２で観察される被写体の光画像が撮影レンズ３によって集光され、複数の画素を備えるＣＣＤ２０に結像する。ＣＣＤ２０に結像した被写体の光画像は画像信号に光電変換され、画像処理部３１によって１秒間に８回の割合でサンプリングされる。また、このとき、画像処理部３１は、ＣＣＤ２０の全画素のうち４分の１の画素をサンプリングする。
【００４８】
すなわち、画像処理部３１は、マトリクス状に配列されているＣＣＤ２０の画素を、図５に示すように、２×２画素（４つの画素）の領域に分割し、各領域の所定の位置に配置されている１画素の画像信号をサンプリングし、残りの３画素を間引く。
【００４９】
例えば、第１回目のサンプリング時（１コマ目）においては、各基本単位の左上の画素ａがサンプリングされ、その他の画素ｂ，ｃ，ｄが間引かれる。第２回目のサンプリング時（２コマ目）においては、各基本単位の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、各画素は４回に１回だけサンプリングされる。
【００５０】
画像処理部３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００５１】
ＤＳＰ３３は、ディジタル化された画像信号に対して前述した処理を施し、圧縮伸長回路３４に出力する。圧縮伸長回路３４は、画像信号に対してＪＰＥＧ方式に基づく圧縮処理を施し、ＣＰＵ制御バスを介して、メモリカード２４の撮影画像記録領域に記録する。このとき、メモリカード２４の撮影画像記録領域には、撮影日時のデータが、撮影画像データのヘッダ情報として記録される。
【００５２】
第３に、連写モード切り換えスイッチ１３がＨモード（１秒間に３０コマの連写を行うモード）に切り換えられている場合について説明する。電源スイッチ１１を操作することにより、電子カメラ１の電源をＯＮの状態にし、面Ｙ１に設けられているレリーズスイッチ１０を押すと、被写体の撮影処理が開始される。
【００５３】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素のうち９分の１の画素をサンプリングする。
【００５４】
すなわち、画像処理部３１は、マトリクス状に配列されているＣＣＤ２０の画素を、図６に示すように、３×３画素を１つとする領域に分割し、その１つの領域から、所定の位置に配置されている１画素の画像電気信号を、１秒間に３０回の割合でサンプリングし、残りの８画素を間引く。
【００５５】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００５６】
画像処理部３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００５７】
ＤＳＰ３３は、ディジタル化された画像信号に前述の処理を施し、圧縮伸長回路３４に供給する。圧縮伸長回路３４は、ＪＰＥＧ方式に従って画像信号に圧縮処理を施した後、タイマ４５から供給される撮影日時をヘッダ情報として付加し、メモリカード２４の撮影画像記録領域に記録する。
【００５８】
次に、タッチタブレット６Ａから２次元の線画情報（ペン入力情報）を入力する場合の動作について説明する。タッチタブレット６Ａがペン４６のペン先で押圧されると、接触した箇所のＸ−Ｙ座標がＣＰＵ３６に供給される。このＸ−Ｙ座標は、バッファメモリ３５に格納されるとともに、フレームメモリ４７の内部の上記Ｘ−Ｙ座標の各点に対応した箇所にデータが書き込まれ、ＬＣＤ６上に表示される。
【００５９】
上述したように、ＬＣＤ６の表面上に形成されているタッチタブレット６Ａは、透明部材によって構成されているので、ユーザは、ＬＣＤ６上に表示される点（ペン４６のペン先で押圧された位置の点）を観察することができ、あたかもＬＣＤ６上に直接ペン入力をしたかのように感じることができる。また、ペン４６をタッチタブレット６Ａ上で移動させると、ＬＣＤ６上には、ペン４６の移動に伴う線が描画される。さらに、ペン４６をタッチタブレット６Ａ上で断続的に移動させると、ＬＣＤ６上には、ペン４６の移動に伴う破線が表示される。以上のようにして、ユーザは、タッチタブレット６Ａ（ＬＣＤ６）から所望の文字、図形等の線画情報を入力することができる。
【００６０】
また、ＬＣＤ６上に撮影画像が表示されている場合において、ペン４６によって線画情報が入力されると、この線画情報が、撮影画像情報とともに、フレームメモリ４７で合成され、ＬＣＤ６上に表示される。
【００６１】
なお、ユーザは、図示せぬ色選択スイッチを操作することによって、ＬＣＤ６上に表示される線画の色を、黒、白、赤、青等の色から選択することができる。
【００６２】
ペン４６によるタッチタブレット６Ａへの線画情報の入力後、操作キー７の実行キー７Ｂが押されると、バッファメモリ３５に格納されている線画情報が、入力日時のヘッダ情報とともにＣＰＵ制御バスを介してメモリカード２４に供給され、線画情報記録領域に記録される。
【００６３】
なお、メモリカード２４に記録される線画情報は、圧縮処理の施された情報である。タッチタブレット６Ａに入力された線画情報は空間周波数成分の高い情報を多く含んでいるので、撮影画像の圧縮に用いられる上記ＪＰＥＧ方式によって圧縮処理を行うと、圧縮効率が悪く、情報量を削減できないので、圧縮及び伸長に必要な時間が長くなってしまう。さらに、ＪＰＥＧ方式による圧縮は、非可逆圧縮であるので、情報量の少ない線画情報の圧縮には適していない（伸長してＬＣＤ６上に表示した場合、情報の欠落に伴うギャザ、にじみが際だってしまうため）。
【００６４】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【００６５】
このランレングス法を用いることにより、線画情報を有効に圧縮することができ、また、圧縮された線画情報を伸長した場合においても、情報の欠落を抑制することが可能になる。なお、線画情報は、その情報量が比較的少ない場合には、圧縮しないようにすることもできる。
【００６６】
また、上述したように、ＬＣＤ６上に撮影画像が表示されている場合において、ペン入力を行うと、撮影画像データとペン入力の線画情報がフレームメモリ４７で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【００６７】
メモリカード２４の音声記録領域、撮影画像記録領域、または線画情報記録領域にデータを記録した場合、図７に示すように、ＬＣＤ６に所定の表示が行われる。図７に示す表示例においては、情報を記録した時点の年月日（記録年月日）（この場合、１９９５年８月２５日）が画面の下端部に表示され、その記録年月日に記録された情報の記録時刻が画面の最も左側に表示されている。
【００６８】
記録時刻の右隣には、サムネイル（Thumb Nail）画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【００６９】
また、メモ記号「＊」は、線画情報として所定のメモが記録されていることを表している。
【００７０】
サムネイル画像の表示領域の右側には、音声情報バーが表示され、録音時間の長さに対応する長さのバー（線）が表示される（音声情報が入力されていない場合は、表示されない）。
【００７１】
なお、サムネイル画像や音声情報バーなどの表示の順序は、メモリカード２４に記録されている順番（時系列順）とされている。即ち、１画面で表示することができないくらい多数の情報が記録されている場合に、この画面の表示処理を行うと、最も古い記録情報が最初の行に表示され、以下、記録日時が古い順に表示されることになる。
【００７２】
ユーザは、図７に示すＬＣＤ６の所望の情報の表示ラインのいずれかの部分を、ペン４６のペン先で押圧して再生する情報を選択指定し、図２に示す実行キー７Ｂをペン４６のペン先で押圧することにより、選択した情報を再生させることができる。
【００７３】
例えば、図７に示す「１０時０５分」の表示されているラインがペン４６によって押圧されると、ＣＰＵ３６は、選択された録音日時（１０時０５分）に対応する音声データをメモリカード２４から読み出し、音声ＩＣ３８に供給する。音声ＩＣ３８は、音声データ（圧縮されている音声データ）に伸長処理を施し、更にＤ／Ａ変換を施してアナログ信号に変換してスピーカ５に供給する。スピーカ５は、供給されたアナログ信号を音声に変換し、出力する。なお、イヤホンジャック９に図示せぬイヤホンが接続されている場合においては、スピーカ５からは音声が再生されず、図示せぬイヤホンにより音声が再生される。
【００７４】
メモリカード２４に記録した撮影画像データを再生する場合、ユーザは、所望のサムネイル画像をペン４６のペン先で押圧することにより、その情報を選択し、続いて、実行キー７Ｂを押すことにより、選択した情報を再生させる。
【００７５】
ＣＰＵ３６は、選択された撮影日時に対応する撮影画像データをメモリカード２４から読み出し、圧縮伸長回路３４に供給する。圧縮伸長回路３４に供給された撮影画像データ（圧縮されている撮影画像データ）はそこで伸長され、ＣＰＵ３６に再び出力される。ＣＰＵ３６は、この撮影画像データをビットマップデータとしてフレームメモリ４７に一旦格納させた後、ＬＣＤ６に表示させる。
【００７６】
Ｓモードで撮影された画像は、ＬＣＤ６上に、静止画像として表示される。この静止画像は、ＣＣＤ２０の全ての画素の画像信号を再生したものであることはいうまでもない。
【００７７】
Ｌモードで撮影された画像は、ＬＣＤ６上において、１秒間に８コマの割合で連続して表示される。このとき、各コマに表示される画素数は、ＣＣＤ２０の全画素数の４分の１である。
【００７８】
人間の視覚は、静止画像の解像度の劣化に対しては敏感であるため、静止画像の画素を間引くと、ユーザはこれを容易に感知してしまう。しかしながら、１秒間に８コマの画像が再生されるＬモードでは、各コマの画素数はＣＣＤ２０の画素数の４分の１になるが、前述のように１秒間に８コマの画像が再生されるので、単位時間当たりの情報量は、静止画像の場合に比べて２倍になる。
【００７９】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にした場合でも、再生時において、ユーザは、画質の劣化をさほど気にしない。
【００８０】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなく、ＬＣＤ６に表示されるＬモードで撮影された画像を観察することができる。
【００８１】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【００８２】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３と圧縮伸長回路３４の負荷を低減することができ、これらを、低速度、低電力で作動させることができる。また、このことにより、装置の低コスト化及び低消費電力化が可能になる。
【００８３】
次に、本実施例の動作モードについて説明する。
【００８４】
ＬＣＤ６上に表示されているカレンダを表すアイコン（図示せず）が、ペン４６により押圧されると、カレンダモードになり、図８に示すカレンダが表示される。この表示例では、５月（ＭＡＹ）のカレンダが表示されている。このカレンダ上において、所望の日にちをペン４６により１回押圧（シングルクリック）すると、その日に記録された画像、音声、または線画などの情報が再生されることになる。
【００８５】
また、このカレンダ上において、所望の日にちをペン４６により２回連続して押圧（ダブルクリック）すると、図９に示す、指定された日のスケジュール（Schedule）表が表示されることになる。この表示例では、５月１６日（ＭＡＹ  １６，１９８６）のスケジュール表が表示されており、画面の左側に時間帯が表示され、その右隣りに予定が表示されている。例えば、スケジュール表の第１行目では、ＡＭ９：００乃至１０：００の時間帯に、９階（Ｆ）の１０２号室で会議が行われることが示されている。
【００８６】
なお、このような表示例において、例えば、第２行目をペン４６によりシングルクリックすることにより、この時間帯（ＡＭ１０：０５乃至１０：３０）に面接する人物の画像と個人情報が、後述する方法により、表示されるようにしてもよい。
【００８７】
更に、スケジュール表の第４行目がペン４６によりシングルクリックされると、ＰＭ１：００乃至２：００に予定されている会議に関する書類や図表などが表示されるようにしてもよい。
【００８８】
次に、線画入力モードについて説明する。
【００８９】
ＬＣＤ６上に何も情報が表示されていない状態において、ＬＣＤ６がペン４６で押圧されるか、ＬＣＤ６上に表示されている線画入力を表すアイコン（図示せず）がペン４６により押圧されるか、または、メニューキー７Ａがペン４６により押圧された後、表示されるメニューの中から線画入力モードが選択されると、図１０に示す線画入力モードとなる。
【００９０】
この線画入力モードにおいて、ユーザは、ペン４６により、ＬＣＤ６上に文字や図形などの線画情報を入力することが可能となる。この表示例では、Ｍ＆Ｍ製薬とその周辺の地図が入力されている。なお、この図において、「Ｍ＆Ｍ製薬」や「ガソリンスタンド」などの文字は、線画情報として入力されているので、図形と同様の処理が施されることになる。
【００９１】
図１１は、線画入力モードにおいて、手書き文字認識入力を行った場合の表示例を示している。即ち、線画入力モードにおいて、画面上に表示されている手書き文字認識入力を示すアイコン（図示せず）がペン４６により押圧された場合は、画面の、最下部に手書き文字入力用の枠が表示され、手書き文字の入力が可能となる。
【００９２】
このようにして入力された文字情報は、所定のアルゴリズムに従って対応する文字コードに変換され、この文字コードをもとに、図４に示すメモリカード２４に格納されている文字のビットマップデータが取得され、図１２に示すように認識された文字が画面上（線画入力を行う枠の外側）に表示されることになる。なお、このようにして入力された文字は、文字のコードデータ（テキストデータ）として、線画情報とは異なるメモリカード２４上の領域に記憶される。従って、例えば、入力された文字「Ｍ＆Ｍ製薬」に対して、線画情報（地図）の格納されているアドレスを付加して記録するようにすれば、データベースのように、キーワード「Ｍ＆Ｍ製薬」が入力された場合に、地図が表示されるようにすることも可能である。
【００９３】
例えば、図９のスケジュール表の第３行目に表示されている文字「Ｍ＆Ｍ製薬」がペン４６により押圧された場合に、図１２に示す地図が表示されるようにしてもよい。
【００９４】
更に、このようにして入力された複数の線画情報（例えば、図１２に示す地図など）を、同時に入力された文字（Ｍ＆Ｍ製薬）により、例えば、「あいうえお」順、または、「アルファベット」順にソートし（並び換え）、順に表示するようにすることも可能である。
【００９５】
続いて、個人情報入力モードについて説明する。
【００９６】
ＬＣＤ６上に表示されている個人情報入力モードを示すアイコン（図示せず）がペン４６により押圧されるか、または、メニューキー７Ａがペン４６により押圧された後、表示されたメニューの中から個人情報入力モードが選択された場合、図１３に示す個人情報入力処理が実行されることになる。
【００９７】
この処理が実行されると、ステップＳ１において、図４に示すＣＰＵ３６は、フレームメモリ４７の所定の領域にビットデータを書き込むことにより、図１４に示す、画像表示用の枠を表示させる。
【００９８】
ステップＳ２において、ＣＰＵ３６は、撮影が終了したか否かを判定する。即ち、図１に示すレリーズスイッチ１０をユーザが操作し、被写体となる人物の画像信号が入力された（ＹＥＳ）と判定した場合は、ステップＳ３に進み、また、レリーズスイッチ１０が操作されていない（ＮＯ）と判定した場合は、ステップＳ２に戻り、レリーズスイッチ１０が操作されるまで同様の処理を繰り返す。
【００９９】
ステップＳ３では、ＣＰＵ３６は、入力された撮影画像に音声データが付随しているか否かを判定する。即ち、ユーザが図１に示すレリーズスイッチ１０を押しながら、録音スイッチ１２を同時に押していたか否かを判定する。その結果、撮影画像に音声データが付随している（ＹＥＳ）と判定した場合は、ステップＳ４に進み、また、撮影画像に音声データが付随していない（ＮＯ）と判定した場合は、ステップＳ４の処理をスキップし、ステップＳ５の処理に進む。
【０１００】
ステップＳ４では、ＣＰＵ３６は、図４に示すフレームメモリ４７に所定のビットデータを書き込むことにより、図１５に示すＶＯＩＣＥボタンをＬＣＤ６上に表示させる。
【０１０１】
そして、続くステップＳ５では、撮影画像をフレームメモリ４７の所定の領域（図１４に示す枠内の領域）に書き込むことにより、図１５に示すように撮影画像をＬＣＤ６上に表示させ、処理を終了する（エンド）。
【０１０２】
このとき、撮影画像は、静止画像であるので、前述のＳモードで入力される。従って、画素の間引きが行われないので、撮影画像は、ＣＣＤ２０を構成している画素と同一の数の画素から構成されることになる。従って、図１４に示すような画面よりも小さいサイズの枠内に撮影画像を表示する場合は、撮影画像から所定の割合で画素を間引き、画像のサイズを縮小した後、表示させるようにする。
【０１０３】
図１５に示す表示画面において、画面上に表示されている手書き文字認識入力を示すアイコン（図示せず）がペン４６により押圧された場合は、線画入力モードにおいて既述したように、手書き文字入力用の枠が表示され、手書き文字の入力が可能となる。
【０１０４】
図１６は、手書き文字認識入力により入力された個人情報の表示例を示している。この表示例では、画面右上からこの人物の「名前（NAME）」、「会社（COMPANY）」、「地位（POSITION）」、「電話番号（TEL）」、「ファクシミリ番号（FAX）」、「性格（CHARACTER）」、および「趣味（HOBBY）」が順に表示されており、また、撮影画像の下には、「国籍（NATIONALITY）」と「血液型（BLOODTYPE）」が表示されている。
【０１０５】
なお、このようにして入力された個人情報は、文字のコードデータ（テキストデータ）としてメモリカード２４の撮影画像とは別の領域に記憶されるが、例えば、個人情報に撮影画像の格納されているアドレスなどを付加して記憶するようにすることにより、異なる領域に記憶されている２つの情報（撮影画像と個人情報）を相互に関連づけることができる。その結果、例えば、所定の項目（例えば、名前など）をキーワードとして、複数の個人情報の中からそのキーワードを有する所定の個人情報を検索し、取得された所定の個人情報に対応する撮影画像を表示するようにすることができる。
【０１０６】
次に、図１６の表示例において、撮影画像を拡大または表示する場合の処理について図１７を参照して説明する。
【０１０７】
この処理は、図１６に示すような画面表示がなされている場合に実行される。
【０１０８】
この処理が実行されると、ステップＳ２０において、ＣＰＵ３６は、ペン入力がなされたか否かを判定する。その結果、ペン入力がなされた（ＹＥＳ）と判定した場合、ステップＳ２１に進み、また、ペン入力がなされていない（ＮＯ）と判定した場合、ステップＳ２０に戻り、ペン入力がなされるまで同様の処理を繰り返す。
【０１０９】
ステップＳ２１では、ＣＰＵ３６は、タッチタブレット６Ａ上のペン入力がなされた座標（ｘ1，ｙ1）（図１８参照）を取得する。
【０１１０】
続くステップＳ２２において、ＣＰＵ３６は、ペン４６が移動されたか否かを判定する。その結果、ペン４６が移動された（ＹＥＳ）と判定した場合は、ステップＳ２３に進み、また、ペン４６が移動されていない（ＮＯ）と判定した場合は、ステップＳ２２に戻り、ペン４６が移動されるまで同様の処理を繰り返す。
【０１１１】
ステップＳ２３において、ＣＰＵ３６は、タッチタブレット６Ａ上におけるペン４６の現在（移動後）の座標（ｘ2，ｙ2）を取得する。そして、ステップＳ２４に進み、取得された座標（ｘ2，ｙ2）に応じて、新たな枠を表示し（図１８参照）、ステップＳ２５に進む。
【０１１２】
ステップＳ２５において、ＣＰＵ３６は、ペン４６がタッチタブレット６Ａから離されたか否かを判定する。その結果、ペン４６がタッチタブレット６Ａから離された（ＹＥＳ）と判定すると、ステップＳ２６に進み、また、ペン４６が離されていない（ＮＯ）と判定すると、ステップＳ２３に進み、同様の処理を繰り返す。
【０１１３】
ステップＳ２６において、ＣＰＵ３６は、最後に表示された枠内の領域に撮影画像（図１６に示す人物の画像）を拡大または縮小し、表示する。即ち、ｙ2とｙ1の比（＝ｙ2／ｙ1）に応じて撮影画像を拡大または縮小し、枠内に表示する。そして、ステップＳ２７に進む。
【０１１４】
ステップＳ２７では、ＣＰＵ３６は、画面の残りの領域（撮影画像が表示されていない領域）の大きさを算出する。そして、ステップＳ２８に進み、ステップＳ２７において求められた残りの領域の大きさに応じて、個人情報を表示する。
【０１１５】
なお、各個人情報には、プライオリティレベルが予め付与されており、ＣＰＵ３６は、このプライオリティレベルが高い順に個人情報を表示していく。従って、残りの領域が小さい場合は、大きい場合に比較して、少ない数の個人情報がプライオリティレベルに応じて順次表示されることになる。表示処理が終了すると、処理を終了する（エンド）。
【０１１６】
図１９は、以上のような処理により、撮影画像を拡大表示した場合の表示例を示す図である。この表示例では、画面の左側に撮影画像が表示され、その右隣りには、「名前（NAME）」、「会社（COMPANY）」、「地位（POSITION）」、「電話番号（TEL）」、および「ファクシミリ番号（FAX）」が表示されている。また、画面の右最上部には、ＶＯＩＣＥボタンが表示されており、このＶＯＩＣＥボタンをペン４６により押圧することにより、撮影画像と同時に録音された音声データを再生することができる。
【０１１７】
以上のような実施例によれば、簡単な操作により、撮影画像を拡大または縮小するとともに、撮影画像が表示されていない領域に個人情報をそのプライオリティレベルに応じて順に表示することができる。従って、必要に応じて、撮影画像を拡大または縮小表示させることができるとともに、その際、有用な個人情報から順に表示されるので、必要な情報を迅速に取得することが可能となる。
【０１１８】
なお、以上の実施例では、Ｓモードにより被写体を撮影したので、ＣＣＤ２０と同じ数の画素からなる撮影画像を入力し、表示される大きさに応じて画素を適宜間引いてから表示するようにした。しかしながら、例えば、画面に表示される最大の大きさを予め決定しておき（例えば、図１９に示すサイズを最大の大きさと決定しておき）、ＣＣＤ２０から出力される画像信号を前述の大きさとなるように予め間引きしてから、メモリカード２４に格納するようにしてもよい。このような構成によれば、撮影画像の情報量を減少させることができるので、その分、メモリカード２４の容量を節約することができる。
【０１１９】
なお、以上の実施例では、Ｓモードにおける静止画のみを対象として扱ったが、例えば、ＬモードまたはＨモードにより撮影される動画を記録し、これを表示するようにしてもよい。このような構成によれば、例えば、撮影された個人の表情の変化や、動作の癖なども情報として記録されることになるので、更に有益なデータベースを構築することが可能となる。
【０１２０】
更に、個人情報のプライオリティレベルは、ユーザにより変更可能としてもよい。このような構成によれば、各個人の使用目的に合わせて、個人情報を表示させることが可能となる。
【０１２１】
更にまた、本発明では、人物の画像とその個人情報を例に挙げて説明を行ったが、本発明はこのような情報に限定されるものではない。例えば、商品の画像とその説明情報、観光地の画像とその説明情報などに対して上述の処理を行うようにしてもよいことは勿論である。また、その際、画像や説明情報は、外部の、例えば、パーソナルコンピュータなどから読み込むようにしてもよい。
【０１２２】
【発明の効果】
請求項１に記載の情報処理装置によれば、被写体からの光を入射する入射手段と、入射手段により得られた光を画像信号に変換する変換手段と、画像信号に固有の情報を画像信号とともに記録する第１の記録手段と、所定面積の表示面を有する表示装置と、被写体の複数の属性情報を入力する入力手段と、複数の属性情報に優先順位を付与し、画像信号に関連付けて記録する第２の記録手段と、画像信号および属性情報を表示装置に表示する表示制御手段とを備え、表示制御手段は、表示装置の表示面内に画像信号を表示する表示枠を設定し、第１の記録手段により記録された画像信号を拡大もしくは縮小して表示枠内に表示し、表示枠外に表示可能な属性情報の個数を決定し、第２の記録手段により画像信号に関連付けされて記録された属性情報のうち、優先順位に従って表示個数以下の属性情報を選択し表示枠外に表示するようにしたので、被写体の画像を所望の大きさで画面に表示することが可能となるとともに、この被写体に属する属性情報を有用な順に画面表示することが可能となる。
【図面の簡単な説明】
【図１】本発明の情報処理装置を適用した電子カメラの構成の一例を示す斜視図である。
【図２】図１に示す電子カメラの面Ｘ１に対向する側から見た場合の斜視図である。
【図３】図１または図２に示す電子カメラの内部の構成を示す斜視図である。
【図４】図１または図２に示す電子カメラの電気的な構成を示すブロック図である。
【図５】Ｌモードにおける画素の間引き処理を説明する図である。
【図６】Ｓモードにおける画素の間引き処理を説明する図である。
【図７】記録された情報を再生する場合の表示画面の表示例である。
【図８】カレンダモードにおける表示の一例を示す図である。
【図９】図８のカレンダにおいて、所望の日にちを指定した場合に表示されるスケジュール表の表示例である。
【図１０】図１に示す実施例における、線画入力モードの表示の一例を示す図である。
【図１１】図１０に示す表示例において、手書き文字認識入力を実行した場合の表示例である。
【図１２】図１１に示す手書き文字認識入力により入力され、文字コードに変換されたデータの表示例である。
【図１３】図１に示す実施例において実行される、個人情報入力処理の一例を説明するフローチャートである。
【図１４】図１３に示す処理を実行した場合に表示される枠の表示例を示す図である。
【図１５】図１４に示す枠に撮影画像が表示された場合の中間画像の写真である。
【図１６】図１５に示す表示例において、個人情報を入力した場合の中間画像の写真である。
【図１７】図１６に示す表示画面において実行される、撮影画像の拡大または縮小処理の一例を説明するフローチャートである。
【図１８】図１７に示す処理が実行された場合の中間画像の写真である。
【図１９】図１７に示すフローチャートにより、図１６に示す撮影画像を拡大表示した場合の中間画像の写真である。
【符号の説明】
３  撮影レンズ（入射手段）
６  ＬＣＤ（第１の表示手段、第２の表示手段、拡大縮小表示手段）
６Ａ  タッチタブレット（入力手段）
２０  ＣＣＤ（変換手段）
３６  ＣＰＵ（第１の表示手段、第２の表示手段、拡大縮小表示手段）
【図１】
0003760510.tif 000002
【図２】
0003760510.tif 000003
【図３】
0003760510.tif 000004
【図４】
0003760510.tif 000005
【図５】
0003760510.tif 000006
【図６】
0003760510.tif 000007
【図７】
0003760510.tif 000008
【図８】
0003760510.tif 000009
【図９】
0003760510.tif 000010
【図１０】
0003760510.tif 000011
【図１１】
0003760510.tif 000012
【図１２】
0003760510.tif 000013
【図１３】
0003760510.tif 000014
【図１４】
0003760510.tif 000015
【図１５】
0003760510.tif 000016
【図１６】
0003760510.tif 000017
【図１７】
0003760510.tif 000018
【図１８】
0003760510.tif 000019
【図１９】
0003760510.tif 000020